(57)【要約】【課題】  製本の各処理部を移動するクランパに製本処理する本身を下方から供給する本身供給装置の小型化を図ること。【解決手段】  傾斜ガイド板５と６に沿って搬送される本身２を上方に位置するクランパ１に傾斜走行路を経て供給する本身供給装置であって、傾斜走行路を形成する傾斜ガイド板を、傾斜ガイド板５と６の二つ分離し、傾斜ガイド板５を水平ガイド板４に連接する水平状態に、傾斜ガイド板６をレベル板３に連接する水平状態にそれぞれ所定のタイミングで揺動させる。これにより水平ガイド板４から傾斜ガイド板５への本身２の移行、傾斜ガイド板６からレベル板３への本身２の移行が滑らかとなるとともに、傾斜ガイド板の傾斜角度を大きくすることができる。【選択図】    図１
2005144826.tif 000002
【特許請求の範囲】
【請求項１】
レベル板で背面を位置決めした本身を挟持して製本の各処理部を移動するクランパに前記本身を、傾斜ガイド板上を走行させて下方から供給する本身供給装置において、前記傾斜ガイド板を上下二つに分離するとともに、少なくとも下方に位置する傾斜ガイド板を水平状態に揺動可能としてなることを特徴とする製本機用本身供給装置。
【請求項２】
前記上下二つに分離した傾斜ガイド板の両者を水平状態に揺動可能とするとともに、上方に位置する傾斜ガイド板の一端をレベル板の端部に枢着してなることを特徴とする請求項１に記載の製本機用本身供給装置。
【発明の詳細な説明】
【技術分野】
【０００１】
本発明は、製本機用本身供給装置に関するものである。
【背景技術】
【０００２】
印刷した用紙などを一冊ごと集積し、集積した一冊分の用紙束（以下、本身という。）ごとに、その背面に糊を付けて表紙を貼り付けて本に仕上げる製本は良く知られている。この場合、各製本処理部、本身の背面をフライス盤により揃えるミーリング処理部、本身の背面に糊ローラにより糊付けする糊付け処理部、糊付けした本身の背面にニッピング板により表紙を貼り付ける表紙貼付け処理部を順に移動するクランパに本身を供給することにより行われている。
【０００３】
クランパは、各処理部を平行して周回移動するチェーンに固定され、そのチェーンには適宜の間隔を隔てて複数のクランパが固定されており、順次本身供給部を移動するクランパに本身が供給され、その本身の背面を、フライス盤や糊ローラおよびニッピング板の高さ位置に合わせるレベル板で整えてクランパで挟持する。
【０００４】
本身のクランパへの供給において、たとえば縦型の丁合機などで下方に搬出された一冊分の本身を、その背面を下方にしてほぼ水平に伸びるガイド板上を走行させ、本身供給部で上向きに傾斜する傾斜ガイド板に移し、その傾斜ガイド板上を走行させて移動するクランパ内に下部から挿入する方法が採用されている場合がある。
【０００５】
この場合、傾斜ガイド板上を走行しクランパ内に挿入された本身はクランパに押し進められてレベル板上に移行するが、本身の重心がレベル板に移行する際、本身は傾斜ガイド板とレベル板との角度分自由に回転し、その回転で本身が乱れることがある。この乱れを防ぐために傾斜ガイド板の一部を揺動駆動する揺動板とし、傾斜ガイド板上を走行する一冊の本身が揺動板上に移行したとき、揺動板を揺動してレベル板と平行するようにしたものがある。このように傾斜ガイド板の延長に揺動板を配置し、傾斜ガイド板上を走行する一冊の本身が揺動板上に移行したとき、揺動板を揺動してレベル板と平行するようにすると、本身は揺動板で支持されて回転するので、その回転による乱れを防止することができる。
【特許文献１】特開平２−１６４５９６号公報
【特許文献２】特開２００１−６３２４１号公報
【発明の開示】
【発明が解決しようとする課題】
【０００６】
ところで、水平に伸びるガイド板上を走行する本身が、このガイド板に連接する上向きに傾斜する傾斜ガイド板上に移行するとき、傾斜ガイド板の傾斜角度が大きいと、本身の背面側の先端が傾斜ガイド板に突き当る衝撃で、本身の先端の角が折れ曲がって姿勢を乱してトラブルが発生するので、このトラブルを避けるために傾斜ガイド板の傾斜角度を小さくしている。そのために傾斜ガイド板が長く、本身供給部に広いスペースを必要とする問題があった。
【０００７】
本発明が解決しようとする課題は、製本の各処理部を移動するクランパに製本処理する本身を下方から供給する本身供給装置の小型化を図り、斯かる問題を解消する点である。
【課題を解決するための手段】
【０００８】
本発明は、レベル板で背面を位置決めした本身を挟持して製本の各処理部を移動するクランパに前記本身を、傾斜ガイド板上を走行させて下方から供給する本身供給装置において、前記傾斜ガイド板を二つに分離するとともに、少なくとも下方に位置する傾斜ガイド板を水平状態に揺動可能にしてなることを最も主要な特徴とする。
【発明の効果】
【０００９】
本発明では、傾斜ガイド板を二つに分離するとともに、少なくとも下方に位置する傾斜ガイド板を水平状態に揺動可能としているので、下方に位置する傾斜ガイド板を水平状態に揺動しておき、水平に伸びるガイド板上を走行する本身を、この水平状態に揺動した傾斜ガイド板に移行させ、その後、この傾斜ガイド板をもとの傾斜状態に戻す。これにより傾斜ガイド板への移行が滑らかになるとともに、傾斜角度を大きくすることができ、本身供給装置の小型化を果たし、本身供給部に要するスペースを低減することができる。
【００１０】
また、上下二つに分離した傾斜ガイド板の両者を水平状態に揺動可能とするとともに、上方に位置する傾斜ガイド板の一端をレベル板の端部に枢着すると、下方に位置する傾斜ガイド板に沿って搬送された本身が上方に位置する傾斜ガイド板上に移行したとき、上方に位置する傾斜ガイド板を水平状態に揺動してレベル板の一部、すなわちレベル板のレベル調整移動とともに移動する一体化されたレベル板となるので、本来のレベル板を短くすることができ、その分製本機を小型化することができる。
【発明を実施するための最良の形態】
【００１１】
製本の各処理部を移動するクランパに製本処理する本身を下方から供給する本身供給装置において、本身供給装置を小型化する目的を、クランパ内へ本身を走行させる傾斜ガイド板を二つに分離するとともに、少なくとも下方に位置する傾斜ガイド板を水平状態に揺動可能とすることにより実現した。以下、本発明の実施例について図１〜図５を参照して説明する。
【実施例】
【００１２】
図１および図２は本発明の実施例に係る製本機用本身供給装置の構成を異なる状態で示す側面図、図３は図２に示す製本機用本身供給装置の平面図、図４は図２のＣ矢視正面図、図５は図２のＢ矢視正面図である。各図において、１はクランパ、２は本身、３はレベル板、４は水平ガイド板、５および６は傾斜ガイド板、７および８は図示しないモータに連結された駆動スプロケット、９は搬送チェーン、１０は搬送ピン、１１は伝達スプロケット、１２は動力伝達チェーン、１３ａおよび１３ｂはカム軸、１４ａおよび１４ｂはカム、１５ａおよび１５ｂは揺動レバー、１６はバネ、１７はセンサである。
【００１３】
クランパ１は可動板１ｄ（図４参照）と固定板１ｃ（図４参照）とを対峙させ、可動板１ｄは前後に設けた支持ピン１ａ、１ｂにより固定板１ｃに支持され、可動板１ｄと固定板１ｃとの間に挿入した本身２を可動板１ｄで固定板１ｃに押し付けて挟持する。そして、固定板１ｃが図示しない搬送チェーンに固定され、製本機に設置したミーリング部、糊付け部および表紙貼付け部を周回移動する。すなわち、本身供給部でクランパ１内に供給された本身を支持ピン１ａでレベル板３上に押し進め、レベル板３で本身の背面を整えた後、本身を挟持して各製本処理部を移動し、製本処理後その本身を排出して本身供給部に移動する。なお、固定板１ｃと支持ピン１ａは各部の処理時の基準位置とされている。
【００１４】
クランパ１内への本身２の供給は、製本処理する本身２を、その搬入部までほぼ水平に伸びるガイド板４、このガイド板４の先端からクランパ１の近傍まで上向きに伸びる傾斜ガイド板５および６上に本身２の背面を当接して走行させて供給する。本身２の走行は、ガイド板４と傾斜ガイド板５に沿って配置された、駆動スプロケット７の回転で移動する搬送チェーン９、この搬送チェーン９に固定された搬送ピン１０で本身２の後端を押すことにより行われる。
【００１５】
ガイド板４の先端からクランパ１の近傍まで上向きに伸びる傾斜ガイド板は、一端がガイド板４と連接し下方（ガイド板４側）に位置する傾斜ガイド板５と一端がこの傾斜ガイド板５と連接し上方（クランパ１側）に位置する傾斜ガイド板６とにより構成され、各傾斜ガイド板５および６はそれぞれ図１に示す傾斜状態から図２および図３に示す水平状態、図２および図３に示す水平状態から図１に示す傾斜状態に本身２の走行と同期して揺動する。
【００１６】
すなわち、傾斜ガイド板５は、搬送チェーン９および搬送ピン１０を駆動する駆動スプロケット７の回転軸をカム軸１３ａとしたカム１４ａのカム溝１４ａ１に係合し、カム１４ａの回転によりカム溝１４ａ１にしたがい揺動する揺動レバー１５ａに連結され、揺動レバー１５ａの揺動により、支持軸５ａを支点として、傾斜状態から図２に示すように、水平に伸びるガイド板４をそのまま延長した水平状態、その水平状態から図１に示すもとの傾斜状態へ揺動する。
【００１７】
傾斜ガイド板６は、レベル板３の端部に枢着（回転自在に固定）され、揺動レバー１５ｂに連結されている。揺動レバー１５ｂはカム１４ｂにバネ１６のバネ力により当接し、カム１４ｂの回転でカム山と谷にしたがい一端を支点として揺動する。カム１４ｂはカム軸１３ｂに固定され、カム軸１３ｂには伝達スプロケット１１が固定されている。そして伝達スプロケット１１には、搬送チェーン９および搬送ピン１０を駆動する駆動スプロケット７の回転軸を回転軸とする駆動スプロケット８に掛けられた動力伝達チェーン１２が掛けられており、駆動スプロケット８の回転で動力伝達チェーン１２が周回移動し、その移動で伝達スプロケット１１が回転し、カム１４ｂが回転する。
【００１８】
カム１４ｂが回転し、揺動レバー１５ｂがカムの谷に当接するとレバー１５ｂは傾斜ガイド板６へ接近する方向にバネ１６のバネ力で揺動し、揺動レバー１５に連結した傾斜ガイド板６は、レベル板３の枢着点を支点として図２に示すように、水平状態に揺動してレベル板３と面一をなして連接し、揺動レバー１５ｂがカムの山に当接するとレバー１５ｂは傾斜ガイド板６から離れる方向にバネ１６のバネ力に抗して揺動し、揺動レバー１５ｂに連結した傾斜ガイド板６は、レベル板３の枢着点を支点として図１に示すように、もとの傾斜状態に揺動して傾斜状態の傾斜ガイド板５と連接する。
【００１９】
傾斜ガイド板５と６の揺動は、搬送チェーン９に固定された搬送ピン１０の移動と連動しており、搬送ピン１０の移動と同期して揺動する。すなわち、図２に示すように傾斜ガイド板５が水平に伸びるガイド板４をそのまま延長した水平状態にあるとき、ガイド板４上を走行する本身２が傾斜ガイド板５に移行する。このとき、傾斜ガイド板６はレベル板３と面一をなして連接され、クランパ１内に挿入した本身２をクランパ１の移動によりレベル板３上に移行させる。
【００２０】
ついでガイド板４上を走行する本身２が水平状態の傾斜ガイド板５に移行し、傾斜ガイド板６上の本身２がレベル板３に移行すると、傾斜ガイド板５と６は傾斜し、図１に示すように傾斜状態で連接し、傾斜ガイド板５上の本身２を傾斜ガイド板６へ移行させる。本身２が傾斜ガイド板６に移行し終わると、傾斜ガイド板５と６は図２に示すように水平状態にされる。この動作はガイド板４上を走行する本身２ごとに繰り替えされる。
【００２１】
このようにガイド板４上を走行する本身２が、ガイド板４を延長した水平状態にある傾斜ガイド板５に移行するので、傾斜角度を大きくしてもその移行の際の衝撃はなくなる。また、傾斜ガイド板６はレベル板３に枢着されているので、レベル板３の上下位置すなわちレベルが調整されても水平状態とされたときには常にレベル板３と面一をなし、傾斜ガイド板６上の本身２は滑らかレベル板３上に移行する。
【００２２】
センサ１７は、たとえばクランパ１内に本身２を挿入する際、本身２の後端上部がクランパ１の支持ピン１ａに当接し、そのために傾斜ガイド板６の揺動が停止し、レバー１５ｂがバネ１６のバネ力に抗してカム１４ｂから離れた場合を検出する検出器で、この検出器の出力信号でクランパ１および本身供給装置を停止する。この停止により本身の破損量を低減することができる。
【図面の簡単な説明】
【００２３】
【図１】本発明の実施例に係る製本機用本身供給装置の構成を傾斜状態で示す側面図である。
【図２】本発明の実施例に係る製本機用本身供給装置の構成を水平状態で示す側面図である。
【図３】図２に示す製本機用本身供給装置の平面図である。
【図４】図２のＣ矢視正面図である。
【図５】図２のＢ矢視正面図である。
【符号の説明】
【００２４】
１  クランパ
２  本身
３  レベル板
４  水平ガイド板
５、６  傾斜ガイド板
６  揺動板
７、８  駆動スプロケット
９  搬送チェーン
１０  搬送ピン
１１  伝達スプロケット
１２  伝達チェーン
１３ａ、１３ｂ  カム軸
１３  伝達スプロケット
１４ａ、１４ｂ  カム
１５ａ、１５ｂ  揺動レバー
１６  バネ
１７  センサ
【図１】
2005144826.tif 000003
【図２】
2005144826.tif 000004
【図３】
2005144826.tif 000005
【図４】
2005144826.tif 000006
【図５】
2005144826.tif 000007